(57)【要約】【課題】噴出器において、ステムから噴口に至る吐出経路を容易に洗浄可能とする。【解決手段】噴出器用噴出具３０に、容器１０に取り付ける肩カバー２０のフック部２５に掛け止める掛止部３１と、容器の口部に組み付けるエアゾール式吐出装置１６のステム１７に対して着脱自在とする着脱部３３と、その着脱部を挟んで掛止部３１と反対側に設け、操作することによりステム１７を押し込む操作部３５と、その操作部を操作してステムを押し込んだときそのステムから吐出する容器の、染毛剤等の内容物を外部に向けて噴出する噴口３６とを設ける。また、噴口まわりには、ブラシ部３７を設ける。【選択図】　　　　図１
2004114017.tif 000002
【特許請求の範囲】
【請求項１】
容器に取り付ける肩カバーに掛け止める掛止部と、前記容器の口部に組み付ける吐出装置のステムに対して着脱自在とする着脱部と、操作することにより前記ステムを押し込む操作部と、その操作部を操作して前記ステムを押し込んだときそのステムから吐出する前記容器の内容物を外部に向けて噴出する噴口とを有することを特徴とする、噴出器用噴出具。
【請求項２】
容器に取り付ける肩カバーに掛け止める掛止部と、前記容器の口部に組み付ける吐出装置のステムを保持して該吐出装置に対して着脱自在とするステム保持部と、操作することにより前記ステムを押し込む操作部と、その操作部を操作して前記ステムを押し込んだときそのステムを通して吐出する前記容器の内容物を外部に向けて噴出する噴口とを有することを特徴とする、噴出器用噴出具。
【請求項３】
前記噴口まわりにブラシ部を有することを特徴とする、請求項１または２に記載の噴出器用噴出具。
【請求項４】
前記内容物として前記容器内に染毛剤を収納することを特徴とする、請求項３に記載の噴出器用噴出具。
【請求項５】
請求項１ないし４のいずれか１に記載の噴出器用噴出具を備えることを特徴とする、噴出器。
【発明の詳細な説明】
【０００１】
【発明の属する技術分野】
この発明は、使用時に、容器に取り付けるエアゾール式やポンプ式の吐出装置を用いて、容器の内容物を外部へと噴出する、化粧用・消毒用・洗浄用・薬用・塗装用・食品用などの噴出器に関する。および、そのような噴出器において、エアゾール式やポンプ式の吐出装置に取り付け、使用時に操作部を操作してステムを押し込み、ステムから吐出する容器内の内容物を噴口から外部へと噴出する噴出具に関する。
【０００２】
【従来の技術】
【特許文献１】実開平７−４３８７号公報
従来、噴出器の中には、例えば図８に示すように、容器１の肩部に肩カバー２を取り付け、その肩カバー２に可撓性の連結部材３を介してスパウト４を設け、容器１の口部に組み付ける吐出装置のステム５をスパウト４のステム嵌合部６にはめ付けてステム５にスパウト４を取り付けるようにしたものがあった（特許文献１参照）。
【０００３】
そして、この種の噴出器では、スパウト４の操作部７を押して連結部材３をたわませ、ステム５を押し込んでエアゾールの場合には噴射材の圧力で、ポンプの場合には汲み上げて容器１の内容物をステム５から通路８に吐出し、その吐出した内容物を通路８を通してスパウト４の噴口９から外部へと噴出していた。
【０００４】
【特許文献２】実開平８−１５１６号公報
また、噴出器の中には、例えば図９に示すように、容器１の肩部に肩カバー２をはめ付け、その肩カバー２に折り曲げ可能な連結部３Ａを介して操作部７を設ける。肩カバー２には、ブラシホルダ１０を取り付ける。ブラシホルダ１０には、ブラシ部１１と、そのブラシ部１１に向けて設ける噴口９と、噴口９と連結管１２との間を結ぶパイプ１３と、操作部７の操作開口１４などを設ける。連結管１２は、ステム５に被せるようにはめ付けて操作部７により押下可能とするようにしたものがあった。（特許文献２参照）。
【０００５】
そして、操作開口１４を通して指を入れて操作部７に指を掛け、操作部７を押し下げて連結部３Ａでたわませ、連結管１２を介してステム５を押し込み、エアゾールの場合には噴射材の圧力で、ポンプの場合には汲み上げて容器１内の内容物をステム５からパイプ１３に吐出し、その吐出した内容物をパイプ１３を通して噴口９からブラシ部１１へと噴出していた。
【０００６】
【発明が解決しようとする課題】
ところが、この種の噴出器では、使用により通路８やパイプ１３内に内容物が残り、その後長い間使用しないと、その残った内容物が固化して詰まりを生じたり、変質したり、かびや細菌を発生して不衛生となったりする問題があった。
【０００７】
よって、通路８やパイプ１３内など、ステム５から噴口９に至る吐出経路を適宜容易に洗浄できるようになっていると、便利である。しかしながら、上述した従来の噴出器では、いずれも肩カバー２ごと取り外さなければ、きれいに洗浄を行うことができず、使用後簡単に洗浄を行うことが難しかった。
【０００８】
そこで、この発明の目的は、噴出器において、ステムから噴口に至る吐出経路を容易に洗浄可能とすることにある。
【０００９】
この発明の第２の目的は、汚れやすいブラシ部を有する噴出具にあって、吐出経路とともに、ブラシ部も容易に洗浄可能とすることにある。
【００１０】
この発明の第３の目的は、粘性の高い染毛剤を用いる噴出具にあって、吐出装置から簡単に取り外して容易に洗浄可能とすることにある。
【００１１】
この発明の第４の目的は、上記各目的を達成した噴出器用噴出具を備えた噴出器を提供することにある。
【００１２】
【課題を解決するための手段】
このため、請求項１に記載の発明は、上記目的を達成すべく、噴出器用噴出具において、容器に取り付ける肩カバーに掛け止める掛止部と、容器の口部に組み付ける吐出装置のステムに対して着脱自在とする着脱部と、操作することによりステムを押し込む操作部と、その操作部を操作してステムを押し込んだときそのステムから吐出する容器の内容物を外部に向けて噴出する噴口とを有する、ことを特徴とする。
【００１３】
請求項２に記載の発明は、上記目的を達成すべく、容器に取り付ける肩カバーに掛け止める掛止部と、容器の口部に組み付ける吐出装置のステムを保持して吐出装置に対して着脱自在とするステム保持部と、操作することによりステムを押し込む操作部と、その操作部を操作してステムを押し込んだときそのステムを通して吐出する容器の内容物を外部に向けて噴出する噴口とを有する、ことを特徴とする。
【００１４】
請求項３に記載の発明は、上記第２の目的を達成すべく、請求項１または２に記載の噴出器用噴出具において、噴口まわりにブラシ部を有する、ことを特徴とする。
【００１５】
請求項４に記載の発明は、上記第３の目的を達成すべく、請求項３に記載の噴出器用噴出具において、内容物として容器内に染毛剤を収納する、ことを特徴とする。
【００１６】
請求項５に記載の発明は、上記第４の目的を達成すべく、噴出器において、請求項１ないし４のいずれか１に記載の噴出器用噴出具を備える、ことを特徴とする。
【００１７】
【発明の実施の形態】
以下、図面を参照しつつ、この発明の実施の形態につき説明する。
図１には、この発明による噴出具を取り付けた噴出器の縦断面を示す。図２にはその肩カバー部分の外観を、図３にはその噴出具の縦断面を示す。
【００１８】
図中符号１０は、容器である。容器１０は、アルミニウムやステンレス製の金属材料でボトル形状につくり、図示省略するが、この例では、内部に、内容物として染毛剤を収納する。
【００１９】
容器１０の口部には、公知のとおり、マウンテンキャップを巻き締めて巻き締め部１５を形成し、エアゾール式吐出装置１６を組み付ける。そして、エアゾール式吐出装置１６から上向きにステム１７を突出する。
【００２０】
容器１０の肩部１２には、円筒キャップ状の肩カバー２０を取り付ける。肩カバー２０は、内筒部２１と外筒部２２とを同心に設け、それらの頂部２３の中心に中心孔２４をあけるとともに、その頂部２３の外周の一部から上向きに突出し、図２から判るとおり先端を内向きに曲げて円弧状のフック部２５を形成する。
【００２１】
そして、肩カバー２０は、図１に示すように、内筒部２１の先端を巻き締め部１５の顎下に係合し、外筒部２２の先端を容器１０の肩部１２に近接し、中心孔２４からステム１７の先端を覗かせて容器１０に取り付ける。
【００２２】
そのような肩カバー２０のフック部２５には、掛止部３１を掛け止め、中心筒部３２下端の着脱部３３を中心孔２４に挿入してその着脱部３３内のステム嵌合部３４にステム１７の上端をはめ付け、噴出具３０を取り付ける。
【００２３】
噴出具３０は、図３にも示すとおり、肩カバー２０のフック部２５に掛け止める掛止部３１と、エアゾール式吐出装置１６のステム１７に対して着脱自在とする着脱部３３と、中心筒部３２を挟んで掛止部３１の反対側に設け、操作することによりステム１７を押し込む操作部３５と、その操作部３５を操作してステム１７を押し込んだときそのステム１７から吐出する容器１０内の染毛剤を外部に向けて噴出する噴口３６とを有する。また、噴口３６まわりには、ブラシ部３７を有する。
【００２４】
いま、この噴出器を使用するときは、容器１０を手で持って、操作部３５に指を掛け、操作部３５を図１中矢印Ａ方向に押し、掛止部３１を支点として噴出器用噴出具３０を回動し、ステム１７を押し込む。すると、エアゾール式吐出装置１６の弁を開いて容器１０内の染毛剤を噴射材の圧力でステム１７から吐出し、中心筒部３２内の通路３８を通して噴口３６から噴出する。そして、ブラシ部３７を髪に当てて梳きながら染毛剤を髪に付着する。
【００２５】
使用後は、掛止部３１をフック部２５から外し、ステム嵌合部３４にはめ付けるステム１７を外して噴出具３０を取り外し、洗浄して、例えばステム嵌合部３４から噴口３６に至る通路３８中に残留する染毛剤を洗い流し、単独で適宜保管する。噴出具３０を取り外した噴出器には、図４に示すように肩カバー２０にキャップカバー４０を被せて保管する。
【００２６】
図５には、この発明による噴出具を取り付けた別の噴出器の縦断面を示す。
同じく、図中符号１０は、容器である。容器１０は、同様に金属材料でボトル形状につくり、図示省略するが、この例では、内部に、内容物として食材を収納する。
【００２７】
容器１０の口部には、公知のとおり、マウンテンキャップ１４を巻き締めて巻き締め部１５を形成し、エアゾール式吐出装置１６を組み付ける。そして、エアゾール式吐出装置１６から上向きにステム１７を突出する。
【００２８】
エアゾール式吐出装置１６は、シリンダ５０の下部に吸上げパイプ５１の基部を圧入して先端を容器１０の底部に向けてのばし、シリンダ５０の上部にはスプリング５２を介してピストン５３を収納する。ピストン５３の上面には、リング状の嵌合溝５４を設ける。
【００２９】
そして、環板状のパッキン弁５６をシリンダ５０上に載せ、中心孔にステム１７を通してマウンテンキャップ１４を被せてシリンダ５０に抱き付かせ、マウンテンキャップ１４の外周をシール材５７を挟んで口部に巻き締める。
【００３０】
容器１０の肩部には、円筒キャップ状の肩カバー２０を取り付ける。肩カバー２０は、先端内面に係止部２６を有する外筒部２２と、中心孔２４を有する頂部２３と、その頂部２３の外周の一部から上向きに突出し、先端を内向きに曲げて形成した円弧状のフック部２５とを有する。そして、肩カバー２０は、中心孔２４にステム１７を通し、外筒部２２の係止部２６を巻き締め部１５の顎下に係合して容器１０に取り付ける。
【００３１】
そのような肩カバー２０のフック部２５には、掛止部３１を掛け止めて噴出具３０を取り付ける。噴出具３０は、中心筒部３２下端にステム１７の上端を圧入してステム１７に取り付ける。ステム１７の下端には、連通孔５５をあける。そして、噴出具３０を取り付けたとき、ステム１７下端をパッキン弁５６の中心を通して嵌合溝５４にはめ込む。
【００３２】
噴出具３０は、すなわち、肩カバー２０のフック部２５に掛け止める掛止部３１と、エアゾール式吐出装置１６のステム１７を保持してエアゾール式吐出装置１６に対して着脱自在とするステム保持部３９と、中心筒部３２を挟んで掛止部３１の反対側に設け、操作することによりステム１７を押し込む操作部３５と、その操作部３５を操作してステム１７を押し込んだときそのステム１７を通して吐出する容器１０内の食材を外部に向けて噴出する噴口３６とを有する。
【００３３】
いま、この噴出器を使用するときは、容器１０を手で持って、操作部３５に指を掛け、操作部３５を図５中矢印Ａ方向に押し、掛止部３１を支点として噴出具３０を回動し、ステム１７を押し込む。すると、エアゾール式吐出装置１６のパッキン弁５６を開いて容器１０内の食材を噴射材の圧力で連通孔５５からステム１７内に入れ、そのステム１７から吐出し、中心筒部３２内の通路３８を通して噴口３６から噴出する。
【００３４】
使用後は、図６に示すように、掛止部３１をフック部２５から外し、嵌合溝５４にはめ付けるステム１７を抜いて噴出具３０を取り外し、洗浄して、例えばステム１７から噴口３６に至る通路３８中に残留する食材を洗い流し、再び肩カバー２０のフック部２５に掛止部３１を掛け止め、ステム１７下端を中心孔２４からパッキン弁５６の中心を通して嵌合溝５４にはめ込み、噴出具３０を取り付ける。
【００３５】
そして、しばらく使用しないときは、噴口３６まわりにほこり等が付着して不衛生とならないように、例えば図７に示すように、噴出具３０の噴口３６にキャップ６０を被せて保管する。
【００３６】
ところで、上述した例では、容器１０の口部にエアゾール式吐出装置１６を組み付けて容器１０の内容物を外部へと噴出する場合について説明した。しかし、この発明は、容器の口部にエアゾール式吐出装置を組み付ける場合に限らず、ポンプ式の吐出装置を組み付ける噴出器、およびそのような噴出器で用いる噴出具にも、同様に適用することができる。
【００３７】
【発明の効果】
以上説明したとおり、請求項１ないし５に記載の発明によれば、噴出器用噴出具において、肩カバーに掛け止める掛止部と、吐出装置のステムに対して着脱自在とする着脱部と、ステムを押し込む操作部と、ステムから吐出する容器の内容物を外部に向けて噴出する噴口とを有するので、着脱部で外して吐出装置のステムから取り外し、掛止部を肩カバーから外すことにより、噴出器用噴出具を、エアゾール式吐出装置やポンプ式吐出装置から簡単に取り外すことができ、ステムから噴口に至る吐出経路を容易に洗浄可能とし、吐出経路に残った内容物が固化して詰まりを生じたり、変質したり、かびや細菌を発生して不衛生となったりするおそれを解消することができる。
【００３８】
請求項２に記載の発明によれば、肩カバーに掛け止める掛止部と、吐出装置のステムを保持して吐出装置に対して着脱自在とするステム保持部と、ステムを押し込む操作部と、ステムを通して吐出する容器の内容物を外部に向けて噴出する噴口とを有するので、ステムを吐出装置から取り外し、掛止部を肩カバーから外すことにより、噴出器用噴出具を、エアゾール式吐出装置やポンプ式吐出装置から簡単に取り外すことができ、ステムから噴口に至る吐出経路を容易に洗浄可能とし、吐出経路に残った内容物が固化して詰まりを生じたり、変質したり、かびや細菌を発生して不衛生となったりするおそれを解消することができる。
【００３９】
請求項３に記載の発明によれば、さらに、噴口まわりにブラシ部を有するので、汚れやすいブラシ部を有する噴出具にあって、吐出装置から簡単に取り外して吐出経路とともに、ブラシ部も容易に洗浄可能とすることができる。
【００４０】
請求項４に記載の発明によれば、さらに、内容物として容器内に染毛剤を収納するので、粘性の高い染毛剤を用いる噴出具にあって、吐出装置から簡単に取り外して容易に洗浄可能とすることができる。
【００４１】
請求項５に記載の発明によれば、請求項１ないし４のいずれか１に記載の噴出器用噴出具を備えるので、上記各効果を有する噴出具を備えた噴出器を提供することができる。
【図面の簡単な説明】
【図１】この発明による噴出具を取り付けた噴出器の縦断面図である。
【図２】その肩カバー部分の外観斜視図である。
【図３】その噴出具の縦断面図である。
【図４】その噴出器の不使用状態の縦断面図である。
【図５】この発明による噴出具を取り付けた別の噴出器の縦断面図である。
【図６】その噴出器から噴出具を取り外した状態の縦断面図である。
【図７】その噴出器の不使用状態の縦断面図である。
【図８】従来の噴出器の縦断面図である。
【図９】従来の別の噴出器の部分縦断面図である。
【符号の説明】
１０　　容器
１６　　エアゾール式吐出装置
１７　　ステム
２０　　肩カバー
２５　　フック部
３０　　噴出器用噴出具
３１　　掛止部
３３　　着脱部
３４　　ステム嵌合部
３５　　操作部
３６　　噴口
３７　　ブラシ部
３９　　ステム保持部
【図１】
2004114017.tif 000003
【図２】
2004114017.tif 000004
【図３】
2004114017.tif 000005
【図４】
2004114017.tif 000006
【図５】
2004114017.tif 000007
【図６】
2004114017.tif 000008
【図７】
2004114017.tif 000009
【図８】
2004114017.tif 000010
【図９】
2004114017.tif 000011